(57)【要約】【課題】利便性を向上させることができる素麺流し器を提供する。【解決手段】本実施の形態に係る素麺流し器１は、水及び素麺を循環させるための循環水路１１と、該循環水路１１の中途に開口する吸水口及び吐水口２４に接続されており、前記循環水路１１を循環する水の流れを生成するポンプとを備え、前記循環水路１１は、複数の水路部材２，２，３，３，…を互いに着脱可能に連結することによって形成されていることを特徴とする。【選択図】図１
2019107299.tif 000002
【特許請求の範囲】
【請求項１】
水及び素麺を循環させるための循環水路と、
該循環水路の中途に開口する吸水口及び吐水口に接続されており、前記循環水路を循環する水の流れを生成するポンプと
を備え、
前記循環水路は、複数の水路部材を互いに着脱可能に連結することによって形成されていることを特徴とする素麺流し器。
【請求項２】
前記循環水路は、直線状に延びる第１水路部材と円弧状に延びる第２水路部材とを連結することによって長円状に形成されていることを特徴とする請求項１に記載の素麺流し器。
【請求項３】
各第１水路部材に前記吸水口及び前記吐水口が設けられており、
各第１水路部材に設けられている前記吸水口及び前記吐水口に接続された前記ポンプが各第１水路部材に備えられていることを特徴とする請求項２に記載の素麺流し器。
【請求項４】
前記循環水路から排水するための排水口が前記第２水路部材に設けられていることを特徴とする請求項２又は３に記載の素麺流し器。
【請求項５】
前記循環水路に突出するようにして前記吸水口を覆っており、水を通過させ、素麺の通過を阻止するストレーナ
を更に備えることを特徴とする請求項１から４の何れか一項に記載の素麺流し器。
【請求項６】
前記吸水口及び前記吐水口夫々は複数の通水口からなり、
各通水口は、水を通過させ、素麺の通過を阻止する程度に開口していることを特徴とする請求項１から５の何れか一項に記載の素麺流し器。
【発明の詳細な説明】
【技術分野】
【０００１】
本発明は、素麺が循環する素麺流し器に関する。
【背景技術】
【０００２】
従来、食堂又は一般家庭等において素麺流しを行なうことができる素麺流し器が提案されている（特許文献１参照）。
特許文献１に記載の素麺流し器は、一面が開放された箱状の容器とポンプとを備えている。容器の外周壁と容器の内部に設けられた内周壁との間には、環状の流水路（循環水路）が形成されている。ポンプは内周壁に囲まれた空間に収容されている。ポンプが流水路から水を吸入し、吸入した水を流水路へ吐出することによって、水及び素麺が流水路を循環する。素麺流しに参加する参加者は、流水路から素麺を取って食べる。
【先行技術文献】
【特許文献】
【０００３】
【特許文献１】実公昭６３−０３７９０４号公報
【発明の概要】
【発明が解決しようとする課題】
【０００４】
特許文献１に記載の素麺流し器には、次のような不都合がある。
素麺流し器が小型の場合、流水路が短いので、多数の参加者が素麺流しを十分に楽しむことができない。かといって、素麺流し器が大型の場合、素麺流し器の設置スペース及び収納スペースの確保が難しい。
更に、素麺流し器の使用後に流水路を洗浄することが困難である。
【０００５】
本発明は斯かる事情に鑑みてなされたものであり、その主たる目的は、利便性を向上させることができる素麺流し器を提供することにある。
【課題を解決するための手段】
【０００６】
本実施の形態に係る素麺流し器は、水及び素麺を循環させるための循環水路と、該循環水路の中途に開口する吸水口及び吐水口に接続されており、前記循環水路を循環する水の流れを生成するポンプとを備え、前記循環水路は、複数の水路部材を互いに着脱可能に連結することによって形成されていることを特徴とする。
【０００７】
本実施の形態に係る素麺流し器は、前記循環水路は、直線状に延びる第１水路部材と円弧状に延びる第２水路部材とを連結することによって長円状に形成されていることを特徴とする。
【０００８】
本実施の形態に係る素麺流し器は、各第１水路部材に前記吸水口及び前記吐水口が設けられており、各第１水路部材に設けられている前記吸水口及び前記吐水口に接続された前記ポンプが各第１水路部材に備えられていることを特徴とする。
【０００９】
本実施の形態に係る素麺流し器は、前記循環水路から排水するための排水口が前記第２水路部材に設けられていることを特徴とする。
【００１０】
本実施の形態に係る素麺流し器は、前記循環水路に突出するようにして前記吸水口を覆っており、水を通過させ、素麺の通過を阻止するストレーナを更に備えることを特徴とする。
【００１１】
本実施の形態に係る素麺流し器は、前記吸水口及び前記吐水口夫々は複数の通水口からなり、各通水口は、水を通過させ、素麺の通過を阻止する程度に開口していることを特徴とする。
【００１２】
本実施の形態にあっては、循環水路に貯留された水が、吸水口を通ってポンプに吸入され、ポンプに吸入された水が、吐水口を通って循環水路に吐出される。この結果、循環水路を循環する水の流れが生成されるので、水と共に素麺が循環水路を循環する。
【００１３】
循環水路は、水路部材同士の連結によって形成される。
故に、例えば参加者が少ない場合、又は設置スペースが狭い場合、少数の水路部材を用いて短い循環水路を形成することができる。一方、参加者が多い場合、又は設置スペースが広い場合、多数の水路部材を用いて長い循環水路を形成することができる。即ち、参加者の多寡、又は設置スペースの広狭に容易に対応することができる。
水路部材同士の連結は解除することができる。故に、素麺流し器の使用後、水路部材を個別に洗浄することができるので、循環水路の洗浄が容易である。また、素麺流し器を使用しない場合、循環水路が複数の水路部材に分けられた素麺流し器をコンパクトに収納することができる。
以上の結果、利便性を向上させることができる。
【００１４】
本実施の形態にあっては、循環水路が長円状に形成される。このために、直線状に延びる第１水路部材と円弧状に延びる第２水路部材とが適宜に連結される。
第１水路部材の個数を増やすことによって、循環水路が長軸方向に長くなるように循環水路を延長することができる。この場合、循環水路に囲まれる面積の増大を抑制しつつ、循環水路を延長することができる。即ち、長い循環水路が形成された素麺流し器を、比較的狭い設置スペースに設置することができる。
【００１５】
本実施の形態にあっては、第１水路部材毎にポンプが配されているので、循環水路が長くとも水及び素麺を円滑に循環させることができる。
【００１６】
本実施の形態にあっては、排水口が第２水路部材に開口している。素麺流し器が卓上に設置されている場合、循環水路の円弧状の部分を卓上から横方向に突出させて、排水口の下側に水受けを設置すれば、循環水路から容易に排水することができる。
【００１７】
本実施の形態にあっては、吸水口がストレーナに覆われている。
水はストレーナを通過することができるので、ストレーナ及び吸水口をこの順に通ってポンプに吸入される。
素麺はストレーナを通過することができないので、循環水路に突出しているストレーナに沿って、吸水口付近を迂回する。即ち、素麺は、可能な限り吸水口から遠ざけられる。従って、吸水口を通って素麺がポンプに吸入される虞はない。
【００１８】
本実施の形態にあっては、吸水口及び吐水口夫々が複数の通水口からなる。
水は通水口を通過することができるので、吸水口を通ってポンプに吸入され、吐水口を通って循環水路へ吐出される。
素麺は通水口を通過することができないので、吸水口又は吐水口を通って素麺がポンプの内部に侵入する虞はない。
【発明の効果】
【００１９】
本実施の形態の素麺流し器により、利便性を向上させることができる。
【図面の簡単な説明】
【００２０】
【図１】実施の形態に係る素麺流し器の斜視図である。
【図２】素麺流し器の構成を模式的に示す分解平面図である。
【図３】水路部材の斜視図である。
【図４】水路部材の他の斜視図である。
【図５】隣り合う２個の水路部材の断面図である。
【図６】連結された２個の水路部材の断面図である。
【図７】吸水口、吐水口、及びストレーナの斜視図である。
【図８】水路部材の断面図である。
【図９】循環水路の延長を説明するための平面図である。
【発明を実施するための形態】
【００２１】
以下、本発明を、その実施の形態を示す図面に基づいて詳述する。
【００２２】
図１は、実施の形態に係る素麺流し器の斜視図である。
図中１は素麺流し器であり、素麺流し器１は循環水路１１を備えている。
循環水路１１は長円状の水路であり、２個の水路部材２，２と４個の水路部材３，３，…とを連結することによって形成されている。
【００２３】
図２は、素麺流し器１の構成を模式的に示す分解平面図である。
図３は、水路部材２の斜視図である。
図１〜図３に示すように、水路部材２は直線状に延びる部材であり、半円状の溝形断面を有している。水路部材２，２夫々の長さは等しい。水路部材２は第１水路部材である。
水路部材２の外周面には脚部２１，２１が設けられている。各脚部２１は、水路部材２の全長に亘る突条である。脚部２１，２１は、水路部材２の幅方向に対称に配されている。
水路部材２の周方向の両端部には、鍔部２２，２２が設けられている。鍔部２２は水路部材２の全長に亘る。鍔部２２は、水路部材２の外周面から外向きに張り出している。
【００２４】
図１及び図２に示すように、水路部材３は四分円の円弧状に延びる部材であり、半円状の溝形断面を有している。水路部材３には脚部２１，２１及び鍔部２２，２２と同様の脚部３１，３１及び鍔部３２，３２が設けられている。水路部材３，３，…夫々の長さは等しい。水路部材３は第２水路部材である。
水路部材２，２は互いに平行に並べられている。水路部材２，２の長さ方向の同側の端部同士が２個の水路部材３，３によって連結されている。
【００２５】
図１及び図２に示すように、各水路部材２には吸水口２３及び吐水口２４が設けられている。ただし、図１に示す水路部材２においては、吸水口２３はストレーナ４に覆われているので見えていない。
吸水口２３は、水路部材２の長さ方向の一端部に開口している。吐水口２４は、水路部材２の長さ方向の中央部にて、他端側に向けて開口している。以下では、水路部材２の長さ方向の一端側（吸水口２３に近い側）を上流側といい、水路部材２の長さ方向の他端側（吐水口２４に近い側）を下流側という。
【００２６】
図１〜図３に示すように、各水路部材２は、水路部材２の外周面にポンプユニット２５を備えている。図２には、ポンプユニット２５の内部の構成が模式的に示されている。
ポンプユニット２５は水路部材２の上流側の端部に配されている。ポンプユニット２５にはポンプ２５１及び電源２５２が内蔵されている。
【００２７】
ポンプ２５１の吸水側の端部は吸水口２３に接続されている。ポンプ２５１の吐水側の端部は吐水口２４に接続されている。
電源２５２は、例えば複数個の乾電池である。ポンプユニット２５には図示しない蓋がある。ポンプユニット２５の蓋が開いているとき、乾電池はポンプユニット２５に着脱される。ポンプユニット２５の蓋はポンプユニット２５の上部に設けられていることが望ましい。
ポンプユニット２５には操作部２５３が設けられている。
操作部２５３は、例えば押しボタン式のトグルスイッチであり、ポンプユニット２５の上面から突出している。使用者によって操作部２５３が押圧される都度、ポンプ２５１のオンとオフとが切り替わる。
【００２８】
図４は、水路部材２の他の斜視図である。図４には水路部材２の下流側の端部が示されている。
図５は、隣り合う２個の水路部材２，３の断面図である。図５には、水路部材２の上流側の端部と水路部材３の下流側の端部とが示されている。
図３に示すように、水路部材２の長さ方向の両端部夫々は、鍔部２２，２２も含めて減肉されている。
【００２９】
図２、図３、及び図５に示すように、水路部材２の上流側の端部には、水路部材２の内周側が減肉されることによってシール受け５１１が設けられている。また、水路部材２の上流側の端部には、鍔部２２，２２が減肉されることによって、ネジ受け５１２，５１２が設けられている。ネジ受け５１２，５１２は、シール受け５１１に連続している。各ネジ受け５１２には、ネジ孔５１３が設けられている。
図２、図３、及び図４に示すように、水路部材２の下流側の端部には、水路部材２の外周側が減肉されることによってシール押さえ５２１が設けられている。また、水路部材２の下流側の端部には、鍔部２２，２２が減肉されることによって、ネジ受け５２２，５２２が設けられている。ネジ受け５２２，５２２はシール押さえ５２１に連続している。各ネジ受け５２２には、貫通孔５２３が設けられている。
【００３０】
上流側の端部の減肉量と下流側の端部の減肉量とは等しい。
脚部２１，２１は、シール受け５１１の外周側には配されているが、シール押さえ５２１の外周側には配されていない。
なお、シール受け５１１及びネジ受け５１２，５１２夫々は外周側が増肉されていることが望ましい（不図示）。
【００３１】
図３及び図５に示すように、シール受け５１１の内周側には、シール部材５３が載置される。シール部材５３は弾性部材であり、水路部材２の周方向の両端に亘る長さを有する。
【００３２】
図２に示すように、各水路部材３の長さ方向の一端部にはシール受け５１１及びネジ受け５１２，５１２が設けられている。また、図２及び図５に示すように、水路部材３の長さ方向の他端部にはシール押さえ５２１及びネジ受け５２２，５２２が設けられている。
【００３３】
ここで、水路部材２の上流側の端部と水路部材３の下流側の端部との連結について説明する。
図６は、連結された２個の水路部材２，３の断面図である。図６には、水路部材２の上流側の端部と水路部材３の下流側の端部とが示されている。
水路部材２のシール受け５１１の内周側に、水路部材３のシール押さえ５２１の外周側が重ねられる。このとき、ネジ受け５１２，５１２にネジ受け５２２，５２２が重なり、ネジ孔５１３と貫通孔５２３とが連通する。
【００３４】
ネジ５４が貫通孔５２３を貫通して、ネジ孔５１３に螺合することによって、ネジ受け５１２，５２２が接近すると共に、シール受け５１１とシール押さえ５２１とが接近し、シール受け５１１とシール押さえ５２１との間でシール部材５３が圧縮される。このとき、水路部材２の内周面と水路部材３の内周面とが面一になる。また、水路部材２，３の間の隙間が水密に塞がれる。
各ネジ５４を取り外せば、水路部材２，３の連結は解除される。
以上の結果、水路部材２，３が着脱可能に連結される。
【００３５】
同様にして、水路部材２の下流側の端部と水路部材３の上流側の端部とを着脱可能に連結することができる。また、水路部材３，３同士、又は水路部材２，２同士を着脱可能に連結することができる。
【００３６】
本実施の形態のネジ５４は摘みネジであり、使用者が摘持可能な頭部５４１を有する。使用者は、頭部５４１を指で摘まんでネジ５４を回すことによって、水路部材２，２を連結するか、又は水路部材２，２の連結を解除する。
なお、ネジ５４は摘みネジに限定されない。ネジ５４は、すり割りが設けられた頭部を有していてもよい。この場合、使用者は、ネジ５４のすりわりにマイナスドライバー又はコイン等を挿入してネジ５４を回す。
【００３７】
素麺流し器１を使用する場合、使用者は、水路部材２，２，３，３，…を適宜に連結することによって、図１に示すような循環水路１１を卓上に形成する。各水路部材２の脚部２１，２１及び各水路部材３の脚部３１，３１、並びに水路部材２のポンプユニット２５は卓に接触し、循環水路１１の開口は上向きになる。このようにして、素麺流し器１は卓上に載置される。
本実施の形態においては、ポンプユニット２５，２５は、循環水路１１の外周に配される。ポンプユニット２５の上部に蓋が設けられている場合、循環水路１１が形成された後であってもポンプユニット２５に電池を容易に着脱することができる。
【００３８】
次に、使用者は、循環水路１１に注水する。次いで、使用者は、操作部２５３，２５３夫々を操作することによって、ポンプ２５１，２５１夫々をオンにする（図２参照）。
循環水路１１に貯留された水は、吸水口２３を通って、ポンプ２５１に吸入される（図２参照）。ポンプ２５１に吸入された水は、吐水口２４を通って循環水路１１に吐出される。この結果、循環水路１１を循環する水の流れが生成される。
【００３９】
吐水口２４は、水路部材２の下流側に向けて開口しているので、吐水口２４を通って吐出される水は下流に向けて円滑に流れる。
循環水路１１においては、吸水口２３，２３（及び吐水口２４，２４）は、長円の中心点を中心に点対称に位置する。故に、循環水路１１を循環する水の流れは円滑である。
本実施の形態においては、ポンプユニット２５，２５の位置も点対称である。
【００４０】
使用者は、循環水路１１に素麺を投入する。循環水路１１にされた素麺は、水と共に循環水路１１を循環する。使用者は、循環水路１１から素麺を取って食べる。
【００４１】
次に、ポンプ２５１の内部に素麺が侵入することを防止するための構成について説明する。
図７は、吸水口２３、吐水口２４、及びストレーナ４の斜視図である。
吸水口２３は複数の通水口２３１，２３１，…からなる。各通水口２３１は、水を通過させ、素麺の通過を阻止する程度に開口している細隙である。通水口２３１は水路部材２の周方向に延びている。通水口２３１，２３１，…は互いに平行に併設されている。なお、通水口２３１は網目でもよい。
吐水口２４は、吸水口２３と同様に、複数の通水口２４１，２４１，…からなる。
【００４２】
ストレーナ４は箱状をなし、吸水口２３を囲うように覆う（図１参照）。
ストレーナ４は、水路部材２の内周面に着脱可能に装着される。ストレーナ４の水路部材２への装着は、例えばストレーナ４に設けられた複数の係合部４１，４１，…が、吸水口２３の周囲に設けられた複数の被係合部２３２，２３２，…に係合することによって実現される。水路部材２に装着されたストレーナ４は、循環水路１１に突出する。
【００４３】
ストレーナ４は、天壁４２と３つの側壁４３〜４５とを有する。天壁４２及び側壁４３〜４５夫々には、複数の通水口４０，４０，…が設けられている。各通水口４０は、水を通過させ、素麺の通過を阻止する程度に開口している細隙である。通水口４０，４０，…は互いに平行に併設されている。なお、通水口４０は網目でもよい。
【００４４】
天壁４２は台形状をなす。側壁４３〜４５は天壁４２の４辺の内の３辺から垂下している。天壁４２の４辺の内の残り１辺と側壁４３〜４５夫々の下端とが水路部材２の内周面に接触している。側壁４３〜４５は、上流側から下流側へこの順に並んでいる。側壁４３は、上流から流れてきた素麺を受け止めて下流側へ導くように、水流方向に対して傾斜している。側壁４３に続く側壁４４は水流方向に平行なので、素麺の流れを阻害しない。側壁４４に続く側壁４５は水流方向に略直交しており、逆流した素麺を受け止める。
【００４５】
循環水路１１に貯留された水は、ストレーナ４及び吸水口２３の通水口２３１，２３１，…をこの順に通って、ポンプ２５１に吸入される。素麺はストレーナ４を通過することができないので、ストレーナ４に沿って、吸水口２３付近を迂回する。即ち、素麺は、可能な限り吸水口２３から遠ざけられる。たとえストレーナ４が取り外されても、素麺は通水口２３１を通過することができないので、素麺が吸水口２３を通って素麺がポンプ２５１に吸入される虞はない。
【００４６】
ポンプ２５１に吸入された水は、吐水口２４の通水口２４１，２４１，…を通って循環水路１１に吐出される。
素麺流しの終了後、使用者は、操作部２５３，２５３夫々を操作することによって、ポンプ２５１，２５１夫々をオフにする。ポンプ２５１がオフにされると、吐水口２４の近傍で水が逆流することがある。しかしながら、素麺は通水口２４１を通過することができないので、水中に残留している素麺が、逆流した水と共に吐水口２４を通ってポンプ２５１の内部に侵入する虞はない。
【００４７】
図１に示すように、循環水路１１には排水口３３が開口している。排水口３３は、循環水路１１の長軸方向の一端部に配されている。
図８は、水路部材３の断面図である。
図１、図２、及び図８に示すように、排水口３３は、４つの水路部材３，３，…の内の１つに設けられている。排水口３３は、水路部材３の、他の水路部材３に連結される側の端部に配されている。排水口３３は水路部材３の内周面の最底部に開口しているが、これに限定されず、最底部より高い位置に開口していてもよい。
排水口３３は、止水栓３４によって、着脱可能に塞がれている。止水栓３４は、例えば柱状の弾性部材であり、水路部材３の外周側から排水口３３に嵌め込まれている。排水口３３に嵌め込まれた止水栓３４の端面は、水路部材３の内面と面一である。
【００４８】
ポンプ２５１，２５１夫々をオフにした後、使用者は、循環水路１１の長軸方向の一端部を卓上から横方向に突出させて、排水口３３の下側に水受けを設置する。この状態で止水栓３４を排水口３３から引き抜けば、排水口３３を通して循環水路１１から容易に排水することができる。
なお、止水栓３４は、例えばＯリングを有するネジでもよい。水路部材３の周壁には、排水口３３に連通するネジ孔が形成されている。水路部材３のネジ孔にネジが螺合し、ネジの頭部と水路部材３の外周面との間でＯリングが圧縮されることによって止水することができる。
【００４９】
排水後、使用者は循環水路１１を洗浄する。このために、使用者は、水路部材２，２，３，３，…の連結を解除し、これらを個別に洗浄する。故に、循環水路１１の洗浄は容易である。
最後に、使用者は、水路部材２，２，３，３，…に分けられた素麺流し器１をコンパクトに収納する。
【００５０】
図９は、循環水路１１の延長を説明するための平面図である。
素麺流しに参加する人数が少ない場合、又は素麺流し器１の設置スペースが狭い場合、使用者は、例えば２個の水路部材２，２を用いて、図１に示すような短い循環水路１１を形成する。図１に示す循環水路１１の場合、各水路部材２の両端部に水路部材３，３が連結される。
一方、素麺流しに参加する人数が多い場合、又は素麺流し器１の設置スペースが広い場合、使用者は、偶数個の水路部材２，２，…を追加して、図９に示すような長い循環水路１１を形成する。
【００５１】
図９に示す循環水路１１の場合、水路部材２，２，…が互いに連結されることによって、２本の直線的な水路ユニットが形成される。２本の水路ユニット夫々を形成している水路部材２，２，…の個数は互いに同じである。２本の水路ユニットは平行に並べられる。各水路ユニットの両端部には水路部材３，３が連結される。
このとき、循環水路１１は長軸方向に長くなるので、循環水路１１に囲まれる面積の増大を抑制しつつ、循環水路１１を延長することができる。
【００５２】
即ち、素麺流し器１によれば、参加人数の多寡、又は設置スペースの広狭に容易に対応することができる。しかも、水路部材２毎にポンプユニット２５が配されているので、循環水路１１が長くとも水及び素麺を円滑に循環させることができる。
以上の結果、素麺流し器１は、利便性を向上させることができる。
【００５３】
なお、循環水路１１は長円状に限定されず、例えば楕円状又は多角形状でもよい。
４個以上の水路部材２，２，…を用いる場合、水路部材２，２，…の中に、ポンプユニット２５が配されていない水路部材２が含まれていてもよい。この場合でも、吸水口２３，２３，…（及び吐水口２４，２４，…）は点対称に位置していることが望ましい。
ポンプユニット２５は、水路部材３に配されていてもよい。
水路部材２，２，…及び水路部材３，３，…の内の１個にポンプユニット２５が配されていてもよい。しかしながら、複数の水路部材夫々にポンプユニット２５が配されていることが望ましく、全部の水路部材夫々にポンプユニット２５が配されていてもよい。
ポンプユニット２５，２５は、循環水路１１の内周に配されてもよい。
循環水路１１におけるポンプユニット２５，２５の位置は、例えば長円の長軸を中心に線対称でもよい。
【００５４】
連結された２個の水路部材３，３に替えて、半円の円弧状に延びる第２水路部材が用いられてもよい。また、連結された２個の水路部材３，３に替えて、連結された３個以上の第２水路部材が用いられてもよい。循環水路１１の円弧状の部分の分割数が多いほど、素麺流し器１をコンパクトに収納することができるが、第２水路部材同士の連結が煩雑である。
循環水路１１の長軸方向の両端部に２つの排水口３３，３３が開口していてもよい。
排水口３３は水路部材２に設けられていてもよい。
操作部２５３は押しボタン式のトグルスイッチに限定されない。例えば、レバー式のトグルスイッチでもよく、スライドスイッチでもよい。
【００５５】
本実施の形態においては、ネジ５４を用いてネジ受け５１２，５２２が互いに締結されているが、これに限定されるものではない。例えばクランプを用いてネジ受け５１２，５２２が互いに締結されてもよい。
また、シール受け５１１とシール押さえ５２１とがシール部材５３を挟持することによって水路部材同士が連結されているが、これに限定されるものではない。例えば各水路部材の両端部夫々の外周面に、外向きに張り出す半円状のフランジが設けられており、フランジ同士がシール部材を挟持することによって、水路部材同士が連結されてもよい。或いは、弾性を有する凸部が一方の水路部材の端面に設けられており、他方の水路部材の端面に設けられた凹部に凸部が無理嵌めされることによって、水路部材同士が連結されてもよい。
【００５６】
ネジ５４の頭部５４１は、図６に示すような平板状のものに限定されない。例えば、頭部５４１は、キャラクター又は自然物等の形状を有していてもよい。頭部５４１，５４１，…夫々の意匠は互いに同一でもよく、互いに異なっていてもよい。
また、頭部５４１，５４１，…夫々の意匠は、同一のシリーズ（例えば食べ物シリーズ、又は乗り物シリーズ）の意匠でもよい。この場合、異なるシリーズのネジ５４，５４，…（例えば花シリーズのネジ５４，５４，…と動物キャラクターシリーズのネジ５４，５４，…と）が混在可能でもよい。
【００５７】
［付記］
本実施の形態に係る素麺流し器は、前記循環水路においては、前記吸水口及び前記吐水口夫々は、長円の中心点を中心に点対称に位置していることを特徴とする。
本実施の形態にあっては、循環水路において、点対称の位置でポンプに水が吸い込まれ、点対称の位置でポンプから水が吐き出される。故に、循環水路を水が円滑に流れることができる。
【００５８】
今回開示された実施の形態は、全ての点で例示であって、制限的なものではないと考えられるべきである。本発明の範囲は、上述した意味ではなく、特許請求の範囲と均等の意味及び特許請求の範囲内での全ての変更が含まれることが意図される。
【符号の説明】
【００５９】
１      素麺流し器
１１    循環水路
２      水路部材（第１水路部材）
２３    吸水口
２３１  通水口
２４    吐水口
２４１  通水口
２５１  ポンプ
３      水路部材（第２水路部材）
３３    排水口
４      ストレーナ
【図１】
2019107299.tif 000003
【図２】
2019107299.tif 000004
【図３】
2019107299.tif 000005
【図４】
2019107299.tif 000006
【図５】
2019107299.tif 000007
【図６】
2019107299.tif 000008
【図７】
2019107299.tif 000009
【図８】
2019107299.tif 000010
【図９】
2019107299.tif 000011